【手続補正書】
【提出日】平成17年6月17日(2005.6.17)
【手続補正１】
【補正対象書類名】明細書
【補正対象項目名】特許請求の範囲
【補正方法】変更
【補正の内容】
【特許請求の範囲】
【請求項１】
２種類以上のポリエステル系重合体からなり、少なくとも一成分がポリトリメチレンテレフタレートを主体としたポリエステルから構成されるポリエステル系複合糸と、天然繊維、セルロース系重合体からなる再生繊維、半合成繊維および精製セルロース繊維から選ばれる少なくとも１種の繊維を含むことを特徴とする複合布帛。
【請求項２】
前記ポリエステル系複合糸が製糸工程パッケージから解舒された際に捲縮を発現する半顕在化捲縮嵩高性ポリエステル系複合糸であることを特徴とする請求項１に記載の複合布帛。
【請求項３】
前記ポリエステル系複合糸の熱処理前の伸縮伸長率が１０〜４０％であることを特徴とする請求項１または２に記載の複合布帛。
【請求項４】
前記ポリエステル系複合糸の熱処理後の伸縮伸長率が３０〜１５０％であり、かつ伸縮弾性率が８５％以上であることを特徴とする請求項１〜３のいずれかに記載の複合布帛。
【請求項５】
前記ポリエステル系複合糸が、綿糸、スパンレーヨン糸、銅アンモニアレーヨン糸、アセテートフィラメント糸および精製セルロース繊維糸から選ばれる少なくとも１種の繊維糸と交織または交編されてなることを特徴とする請求項１〜４のいずれかに記載の複合布帛。
【請求項６】
前記セルロース系重合体からなる再生繊維が、竹を原料とするビスコースフィラメントおよび／またはスパン糸であることを特徴とする請求項５に記載の複合布帛。
【請求項７】
前記ポリエステル系複合糸が、綿糸、スパンレーヨン糸、銅アンモニアレーヨン糸、アセテートフィラメント糸および精製セルロース繊維糸から選ばれる少なくとも１種の繊維糸と複合繊維束に形成されており、該複合繊維束の熱処理後の伸縮伸長率が１０〜６０％であることを特徴とする請求項１〜４のいずれかに記載の複合布帛。
【請求項８】
撚係数Ｋが０〜２０，０００の無撚〜中撚が施された前記ポリエステル系複合糸を少なくとも一部に用いたことを特徴とする請求項１〜７のいずれかに記載の複合布帛。
ただし、撚係数Ｋ＝Ｔ×Ｄ０．５
Ｔ：糸長１ｍ当たりの撚数、
Ｄ：糸条の繊度（ｄｔｅｘ）
【請求項９】
前記ポリエステル系複合糸が、パッケージから解舒されたときに３次元捲縮の山と谷の位相が該糸の単繊維間でずれた形態でコイル状に捲縮発現するものであることを特徴とする請求項１〜８のいずれかに記載の複合布帛。
【請求項１０】
前記ポリエステル系複合糸が、パッケージから解舒されたときに３次元捲縮の山と谷の位相が該糸の単繊維間で揃った形態でコイル状に捲縮発現するものであることを特徴とする請求項１〜８のいずれかに記載の複合布帛。
【請求項１１】
２種類以上のポリエステル系重合体からなり、少なくとも一成分がポリトリメチレンテレフタレートを主体としたポリエステルから構成されるポリエステル系複合糸と、天然繊維、セルロース系重合体からなる再生繊維、半合成繊維および精製セルロース繊維から選ばれる少なくとも１種の繊維を含む複合布帛にリラックス熱処理を施して前記ポリエステル系複合糸に収縮と３次元捲縮を発現させてから染色加工することを特徴とする複合布帛の製造方法。
【請求項１２】
中撚が施された前記ポリエステル系複合糸を少なくとも一部に用いた複合布帛をリラックス熱処理により前記ポリエステル系複合糸の潜在３次元捲縮を発現させた後に染色加工を施すことによってポリエステル系複合糸の長さ方向の中心部にコイル状中空構造を生じさせることを特徴とする請求項１１に記載の複合布帛の製造方法。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】変更
【補正の内容】
【００１５】
（３）前記ポリエステル系複合糸の熱処理前の伸縮伸長率が１０〜４０％であることを特徴とする前記（１）または（２）に記載の複合布帛。
【手続補正４】
【補正対象書類名】明細書
【補正対象項目名】００１６
【補正方法】変更
【補正の内容】
【００１６】
（４）前記ポリエステル系複合糸の熱処理後の伸縮伸長率が３０〜１５０％であり、かつ伸縮弾性率が８５％以上であることを特徴とする前記（１）〜（３）のいずれかに記載の複合布帛。
【手続補正５】
【補正対象書類名】明細書
【補正対象項目名】００１７
【補正方法】変更
【補正の内容】
【００１７】
（５）前記ポリエステル系複合糸が、綿糸、スパンレーヨン糸、銅アンモニアレーヨン糸、アセテートフィラメント糸および精製セルロース繊維糸から選ばれる少なくとも１種の繊維糸と交織または交編されてなることを特徴とする前記（１）〜（４）のいずれかに記載の複合布帛。
【手続補正６】
【補正対象書類名】明細書
【補正対象項目名】００１８
【補正方法】変更
【補正の内容】
【００１８】
（６）前記セルロース系重合体からなる再生繊維が、竹を原料とするビスコースフィラメントおよび／またはスパン糸であることを特徴とする前記（５）に記載の複合布帛。
【手続補正７】
【補正対象書類名】明細書
【補正対象項目名】００１９
【補正方法】変更
【補正の内容】
【００１９】
（７）前記ポリエステル系複合糸が、綿糸、スパンレーヨン糸、銅アンモニアレーヨン糸、アセテートフィラメント糸および精製セルロース繊維糸から選ばれる少なくとも１種の繊維糸と複合繊維束に形成されており、該複合繊維束の熱処理後の伸縮伸長率が１０〜６０％であることを特徴とする是延期（１）〜（４）のいずれかに記載の複合布帛。
【手続補正８】
【補正対象書類名】明細書
【補正対象項目名】００２０
【補正方法】変更
【補正の内容】
【００２０】
（８）撚係数Ｋが０〜２０，０００の無撚〜中撚が施された前記ポリエステル系複合糸を少なくとも一部に用いたことを特徴とする前記（１）〜（７）のいずれかに記載の複合布帛。
ただし、撚係数Ｋ＝Ｔ×Ｄ０．５
Ｔ：糸長１ｍ当たりの撚数、
Ｄ：糸条の繊度（ｄｔｅｘ）
【手続補正９】
【補正対象書類名】明細書
【補正対象項目名】００２１
【補正方法】変更
【補正の内容】
【００２１】
（９）前記ポリエステル系複合糸が、パッケージから解舒されたときに３次元捲縮の山と谷の位相が該糸の単繊維間でずれた形態でコイル状に捲縮発現するものであることを特徴とする前記（１）〜（８）のいずれかに記載の複合布帛。
【手続補正１０】
【補正対象書類名】明細書
【補正対象項目名】００２２
【補正方法】変更
【補正の内容】
【００２２】
（１０）前記ポリエステル系複合糸が、パッケージから解舒されたときに３次元捲縮の山と谷の位相が該糸の単繊維間で揃った形態でコイル状に捲縮発現するものであることを特徴とする前記（１）〜（８）のいずれかに記載の複合布帛。
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】変更
【補正の内容】
【００２４】
（１１）２種類以上のポリエステル系重合体からなり、少なくとも一成分がポリトリメチレンテレフタレートを主体としたポリエステルから構成されるポリエステル系複合糸と、天然繊維、セルロース系重合体からなる再生繊維、半合成繊維および精製セルロース繊維から選ばれる少なくとも１種の繊維を含む複合布帛にリラックス熱処理を施して前記ポリエステル系複合糸に収縮と３次元捲縮を発現させてから染色加工することを特徴とする複合布帛の製造方法。
【手続補正１３】
【補正対象書類名】明細書
【補正対象項目名】００２５
【補正方法】変更
【補正の内容】
【００２５】
（１２）中撚が施された前記ポリエステル系複合糸を少なくとも一部に用いた複合布帛をリラックス熱処理により前記ポリエステル系複合糸の潜在３次元捲縮を発現させた後に染色加工を施すことによってポリエステル系複合糸の長さ方向の中心部にコイル状中空構造を生じさせることを特徴とする前記（１１）に記載の複合布帛の製造方法。
【手続補正１４】
【補正対象書類名】明細書
【補正対象項目名】０１０７
【補正方法】変更
【補正の内容】
【０１０７】
実施例７
実施例５で得た半顕在化嵩高性ポリエステル系複合糸５６ｄｔｅｘ２４フィラメントを１，０００T/mで２本合撚（撚係数Ｋ＝１０，５８０）したものと「テンセル」紡績糸を用いて２４ゲージダブル丸編機一口交互に仕掛けインターロック編地を作成した。これを常法により９８℃でリラックス精練、染色を施し、酵素処理によるフィブリル化工程を通さずにクリア仕上げセットした。得られた布帛は表面が上品な艶を有し高密度感の表面高品位であるとともに、優れたストレッチ性を示した。